(57)【特許請求の範囲】
【請求項１】
人体に照射する光を放射する発光手段と、発光手段が照射した光の内人体を透過した透過光あるいは人体に反射された反射光を受光する受光手段と、受光手段の信号を受ける制御手段と、制御手段からの指示内容を表示する表示手段とを備え、前記制御手段は測定開始受付キーと、受光手段から受けた信号から吸光度と血糖値を演算する演算手段と、演算手段が演算した吸光度を記憶する記憶手段と、記憶手段が記憶した吸光度のデータから糖尿病の可能性を判断する判断手段とを備え、測定開始受付キーが押されてから所定時間が経過する都度、表示手段に使用者に対する指示を表示する糖尿病判断機能付き血糖計。
【請求項２】
制御手段は、測定開始受付キーが押されてから所定時間が経過する都度受光手段から受けた受光信号から吸光度の変化を演算し、予めプログラムされた値と比較して前記吸光度の変化が大きい場合には糖尿病であると判断する請求項１記載の糖尿病判断機能付き血糖計。
【請求項３】
制御手段は、測定開始受付キーが押されてから所定時間が経過する都度受光手段から受けた受光信号から吸光度の時間変化の勾配を演算し、予めプログラムされた値と比較して前記時間変化の勾配が大きい場合には糖尿病であると判断する請求項１記載の糖尿病判断機能付き血糖計。
【請求項４】
制御手段は、測定開始受付キーが押されてから所定時間が経過する都度受光手段から受けた受光信号から吸光度の時間変化の勾配を演算し、前記時間変化の勾配から所定時間後の血糖値を予測し、この予測値に基づいて糖尿病であるかどうかを判断する請求項１記載の糖尿病判断機能付き血糖計。
【請求項５】
発光素子は、グルコース糖の成分濃度の変化だけに対応して吸光度が変化する波長の光を含んだ光を照射する請求項１記載の糖尿病判断機能付き血糖計。
【請求項６】
発光素子は、1450nm±20nmの波長の光を照射する請求項１記載の糖尿病判断機能付き血糖計。
【発明の詳細な説明】
【０００１】
【発明の属する技術分野】
本発明は毎回の血液の採取が不要な簡単な方法で血糖値を測定できると共に、糖尿病の可能性の判断もできる糖尿病判断機能付き血糖計に関するものである。
【０００２】
【従来の技術】
従来、糖尿病の判断は、健康診断の際の採血血液を測定することによって血糖値の測定と共に行っている。
【０００３】
【発明が解決しようとする課題】
しかしこの方法は、個々の測定毎に比較的多量の血液を必要とし、かなりの苦痛を伴うものである。
【０００４】
【課題を解決するための手段】
本発明は、制御手段が指示するタイミングで、発光手段と受光手段によって吸光度を測定し、吸光度の変化のデータから、採血を伴うことなく血糖値と糖尿病の可能性とを判断できる糖尿病判断機能付き血糖計としているものである。
【０００５】
【発明の実施の形態】
請求項１に記載した発明は、制御手段は測定開始受付キーの入力を受けると、表示手段に測定開始を表示し、所定時間間隔で受けた受光手段からの受光データを演算することによって、採血を伴うことなく、血糖値を算出すると共に、記憶手段が記憶した吸光度のデータから糖尿病の可能性を判断するものである。
【０００６】
請求項２に記載した発明は、制御手段は、測定開始受付キーが押されてから所定時間が経過する都度受光手段から受けた受光信号から吸光度の変化を演算し、予めプログラムされた値と比較して前記吸光度の変化が大きい場合には糖尿病であると判断するものである。
【０００７】
請求項３に記載した発明は、制御手段は、測定開始受付キーが押されてから所定時間が経過する都度受光手段から受けた受光信号から吸光度の時間変化の勾配が予めプログラムされた値より大きい場合には糖尿病であると判断するものである。
【０００８】
請求項４に記載した発明は、制御手段は、測定開始受付キーが押されてから所定時間が経過する都度受光手段から受けた受光信号から吸光度の時間変化の勾配を演算し、所定時間後の血糖値を予測して、この予測値に基づいて糖尿病であるかどうかを判断するものである。
【０００９】
請求項５に記載した発明は、発光素子は、グルコース糖の成分濃度の変化だけに対応して吸光度が変化する波長の光を含んだ光を照射するようにして、正確な糖尿病の判断が出来るものである。
【００１０】
請求項６に記載した発明は、発光素子は、1450nm±20nmの波長の光を照射するようにして、半導体レーザを使用することができ、小型化した糖尿病判断機能付き血糖計とできるものである。
【００１１】
【実施例】
（実施例１）
以下本発明の第１の実施例について説明する。図１は本実施例の構成を示すブロック図である。１は人体に照射する光を放射する発光手段で、発光素子等で構成している。２は発光手段が照射した光の内人体を透過した透過光あるいは人体に反射された反射光を受光する受光手段で、受光素子等によって構成している。３は、測定開始受付キーの入力信号を受けて表示手段４に使用者に対する指示を表示し、受光手段２の受光信号を受けて表示手段４に測定結果を表示する制御手段である。制御手段３は、使用者が操作する前記測定開始受付キー５と、測定終了受付キー６と、前記受光手段２から受けた信号から吸光度と血糖値を演算する演算手段７と、演算手段７が演算した吸光度を記憶する記憶手段８と、記憶手段８が記憶した吸光度のデータから糖尿病の可能性を判断する判断手段９と、時間を測定するタイマー手段１２を備えている。
【００１２】
以下本実施例の動作について説明する。使用者はこの装置を空腹状態で使用する。すなわち、前夜から断食状態を継続した状態で朝食前等のタイミングでこの装置を使用する。すなわち、まず、電源スイッチ１０をオンにする。電源スイッチ１０がオンされると、制御手段３が動作を開始して表示手段４に使用者に測定開始を指示する。つまり、測定開始受付キー５を押して、図示していないプローブ内に指を挿入し測定スイッチ１１を押すように表示するものである。測定スイッチ１１が押されると、発光手段１が発光し、受光手段２が指を透過した発光手段１の光を受光する。この測定が終了すると、制御手段３は自動的に表示手段４に、グルコース糖を規定量の水に溶かして飲むように表示する。使用者はこの指示に従って規定量の濃度のグルコース糖の水溶液を飲み、再び測定開始受付キー５を押す。制御手段３はこの情報を受けると、タイマー手段１２を駆動して所定時間を計時する。同時に、演算手段７によって血糖値を演算し、記憶手段８にこのデータを記憶させる。所定時間が経過すると、制御手段３は表示手段４に再度の吸光度の測定を指示する。この指示に従って使用者は再び測定スイッチ１１を押して、前記吸光度の測定を繰り返すものである。こうして、演算手段７は血糖値を演算し、記憶手段８にこのデータを記憶させる。この操作を所定回数繰り返すことによって、記憶手段８は所定時間閣の吸光度のデータが記憶される。
【００１３】
使用者はこの測定の間食物等を一切口にしていないため、血液中にはグルコース糖だけが増加するものである。グルコース糖を飲んでから１時間から２時間の間は、血糖値は増加することが知られており、従って使用者が測定する吸光度は、１回目よりも２回目、２回目より３回目というように増加していくものである。この増加は、前記したようにグルコース糖による血糖値の増加によるものである。
【００１４】
本実施例では、判断手段９は、図２に示すような吸光度と血糖値との関係をプログラムとして記憶している。つまり、吸光度の変化分と血糖値とは１次関数の関係にある。従って、吸光度の変化分が決定されれば血糖値も確定できるものである。
【００１５】
またこのとき、本実施例では、発光手段１が発光する光の波長をλ１とλ２とに設定しているものである。波長λ１の光は、グルコース糖の濃度による影響を受けない波長であり、波長λ２の光はこの影響を受ける一般的な光である。発明者らがグルコース糖の水溶液を使用した実験によれば、前記波長λ１・λ２の光の吸光度は、図３に示すような特性となっているものである。つまり波長λ１での吸光度はＡｒと一定であり、波長λ２での吸光度はグルコース糖の濃度に応じて例えばＡｓのように変化するものである。このＡｓとＡｒとの差は、前記図２に示している吸光度の変化分に対応するものである。従って、グルコース糖の濃度が既知である水溶液を使用して、ＡｓとＡｒを求めれば、図２に示している勾配θを演算でき、演算手段７は記憶手段８が記憶している吸光度の時間変化のデータから血糖値を演算できるものである。制御手段３は、この演算した血糖値を表示手段４に表示する。
【００１６】
また図４は、発明者らが行った実験結果を示している。すなわち、糖尿病患者の血液に類似したグルコース糖の水溶液と、健常者の血液に類似したグルコース糖の水溶液とを使用して、波長λ２の光の吸光度の時間変化の特性を示しているものである。糖尿病患者の吸光度の特性は、図４にＢとして示しているように立ち上がりが速く立ち下がりが遅い特性を有しているものである。また健常者のものは、Ａとして示しているように、立ち上がりが遅く立ち下がりが速いものである。本実施例の判断手段９は、この変化パターンを記憶しているものである。従って、判断手段９は記憶手段８が記憶している吸光度の時間変化を解析して、ＡとＢのどちらのパターに近いかを判断して、糖尿病であるかどうかを判断するものである。制御手段３は、この判断手段９の判断を表示手段４に表示するものである。
【００１７】
以上のように本実施例によれば、制御手段３が指示するタイミングで、グルコース糖の水溶液を飲用し、発光手段と受光手段によって所定時間間隔で吸光度を測定することによって、採血を伴うことなく、血糖値と糖尿病の可能性とを判断できる糖尿病判断機能付き血糖計を実現するものである。
【００１８】
（実施例２）
続いて本発明の第２の実施例について説明する。図５は、本実施例の制御手段の構成を示すブロック図である。本実施例では、制御手段３は勾配検知手段１０を備えている。勾配検知手段１０は、記憶手段８が記憶している吸光度の時間変化のデータから、吸光度の変化の勾配を演算するものである。
【００１９】
以下本実施例の動作について説明する。図４で説明したように、糖尿病患者の吸光度の特性は、図４にＢとして示しているように立ち上がりが速く立ち下がりが遅い特性を有しているものであり、健常者のものは、Ａとして示しているように、立ち上がりが遅く立ち下がりが速いものである。図６は、前記ず４にしめしたものを勾配の変化で示したものである。つまり、ｋ１は特性Ａが有している初期時の勾配を、ｋ２は特性Ｂが有している初期時の勾配を示している。当然勾配ｋ２は勾配ｋ１よりも大きいものである。本実施例では、判断手段９はプログラムとして、勾配ｋ１の値を有しているものである。そこで、判断手段９は勾配検知手段１０が検知した勾配がｋ１より大きいか小さいかを判断することによって、糖尿病であるかどうかを判断するものである。制御手段３は、この判断結果を表示手段４に表示するものである。
【００２０】
以上のように本実施例によれば、吸光度の変化の勾配を基に糖尿病であるかどうかを判断しているため、糖尿病の判定に要する時間を短縮できるものである。
【００２１】
（実施例３）
続いて本発明の第３の実施例について説明する。図７は本実施例の制御手段の構成を示すブロック図である。本実施例では、制御手段３は血糖値予測手段１１を備えている。つまり、前記図６で説明したと同様の理由で、記憶手段８が記憶した吸光度の初期時の勾配から、最終的な吸光度を予想するものである。従って本実施例によれば、血糖値の決定が速くでき、使い勝手の良い糖尿病判断機能付き血糖計を実現するものである。
【００２２】
（実施例４）
本実施例は、発光手段１が発光する光の波長を限定するものである。すなわち、血糖値の測定を目的としている場合には、発光手段１が発光する光の波長を、グルコース糖の成分濃度の変化だけに対応して吸光度が変化する波長の光を含んだ光を照射する構成とすれば効率的である。すなわち、前記図３で説明した波長λ２をグルコース糖の帰属波長とすると、発光手段１が発光する光の波長はλ１とλ２とすることが適切なものである。
【００２３】
このとき、前記λ２として、1450nm付近の波長を選択した場合には、半導体レーザを使用することができ、小型化した糖尿病判断機能付き血糖計とできるものである。
【００２４】
すなわち、発明者らの実験によれば、1450nm付近の波長は水の水酸基の第１倍音となっているものである。従ってこの波長域では自由な水分子が生じ、蛋白やヘモグロビンのＮＨ基と結合しやすくなる。このため、成分の濃度に応じて吸光度も大きく変化するものである。しかも本実施例では、被験者は空腹状態からグルコース糖を飲用しており、測定の期間中は何も飲食していないため、血液中の蛋白やヘモグロビンによる影響は生じないものである。つまりグルコース糖の濃度変化だけに反応するものである。
【００２５】
【発明の効果】
請求項１に記載した発明は、人体に照射する光を放射する発光手段と、発光手段が照射した光の内人体を透過した透過光あるいは人体に反射された反射光を受光する受光手段と、受光手段の信号を受ける制御手段と、制御手段からの指示内容を表示する表示手段とを備え、前記制御手段は測定開始受付キーと、受光手段から受けた信号から吸光度と血糖値を演算する演算手段と、演算手段が演算した吸光度を記憶する記憶手段と、記憶手段が記憶した吸光度のデータから糖尿病の可能性を判断する判断手段とを備え、測定開始受付キーが押されてから所定時間が経過する都度、表示手段に使用者に対する指示を表示する構成として、採血を伴うことなく、血糖値を算出すると共に、記憶手段が記憶した吸光度のデータから糖尿病の可能性を判断できる糖尿病判断機能付き血糖計を実現するものである。
【００２６】
請求項２に記載した発明は、制御手段は、測定開始受付キーが押されてから所定時間が経過する都度受光手段から受けた受光信号から吸光度の変化を演算し、予めプログラムされた値と比較して前記吸光度の変化が大きい場合には糖尿病であると判断する構成として、採血を伴うことなく、血糖値と糖尿病の可能性とを判断できる糖尿病判断機能付き血糖計を実現するものである。
【００２７】
請求項３に記載した発明は、制御手段は、測定開始受付キーが押されてから所定時間が経過する都度受光手段から受けた受光信号から吸光度の時間変化の勾配を演算し、予めプログラムされた値と比較して前記時間変化の勾配が大きい場合には糖尿病であると判断する構成として、採血を伴うことなく、血糖値と糖尿病の可能性とを判断できる糖尿病判断機能付き血糖計を実現するものである。
【００２８】
請求項４に記載した発明は、制御手段は、測定開始受付キーが押されてから所定時間が経過する都度受光手段から受けた受光信号から吸光度の時間変化の勾配を演算し、前記時間変化の勾配から所定時間後の血糖値を予測し、この予測値に基づいて糖尿病であるかどうかを判断する構成として、採血を伴うことなく、血糖値と糖尿病の可能性とを判断できる糖尿病判断機能付き血糖計を実現するものである。
【００２９】
請求項５に記載した発明は、発光素子は、グルコース糖の成分濃度の変化だけに対応して吸光度が変化する波長の光を含んだ光を照射する構成として、採血を伴うことなく、血糖値と、正確な糖尿病の判断が出来る糖尿病判断機能付き血糖計を実現するものである。
【００３０】
請求項６に記載した発明は、発光素子は、1450nm±20nmの波長の光を照射する構成として、半導体レーザを使用することができ、小型化した糖尿病判断機能付き血糖計を実現するものである。
【図面の簡単な説明】
【図１】本発明の第１の実施例である糖尿病判断機能付き血糖計の構成を示すブロック図
【図２】同、制御手段が有している吸光度と血糖値との関係を示す特性図
【図３】同、発明者らが実験した波長と吸光度との関係を示す特性図
【図４】同、発明者らが実験した糖尿病患者の血液に類似したグルコース糖の水溶液と、健常者の血液に類似したグルコース糖の水溶液とを使用した波長と吸光度との関係を示す特性図
【図５】本発明の第２の実施例である糖尿病判断機能付き血糖計に使用している制御手段の構成を示すブロック図
【図６】同、発明者らが実験した糖尿病患者の血液に類似したグルコース糖の水溶液と、健常者の血液に類似したグルコース糖の水溶液とを使用した波長と吸光度との関係を示す特性図
【図７】本発明の第３の実施例である糖尿病判断機能付き血糖計に使用している制御手段の構成を示すブロック図
【符号の説明】
１  発光手段
２  受光手段
３  制御手段
４  表示手段
５  測定開始受付キー
７  演算手段
８  記憶手段
９  判断手段
１０  勾配検知手段
１１  血糖値予測手段
【図１】
0003692751.tif 000002
【図２】
0003692751.tif 000003
【図３】
0003692751.tif 000004
【図４】
0003692751.tif 000005
【図５】
0003692751.tif 000006
【図６】
0003692751.tif 000007
【図７】
0003692751.tif 000008